(57)【要約】【課題】移動端末の位置を監視するための位置監視用ゾーンを正確に登録し得る位置監視用ゾーン設定装置を提供する。【解決手段】位置検出信号Ｓ２を出力する移動端末の位置を監視するための位置監視用ゾーンを設定する位置監視用ゾーン設定装置２１であって、表示部３５の表示画面内において位置監視用ゾーンを設定するための設定用ポイントを指定する操作部３１と、地図データＤｍに基づいて指定された設定用ポイントの表示画面内における座標から位置監視用ゾーンを特定するゾーンデータＤｚに変換して記憶部３６に記憶させる制御部３２と、設定用ポイントを示すポイント画像およびゾーンデータＤｚに基づくゾーン画像の少なくとも一方を地図データＤｍに基づく地図画像に重ね合わせて表示画面に表示させる表示制御部３４とを備えている。【選択図】図３
2005148822.tif 000002
【特許請求の範囲】
【請求項１】
位置検出信号を出力する移動端末の位置を監視するための位置監視用ゾーンを設定する位置監視用ゾーン設定装置であって、
表示部の表示画面内において前記位置監視用ゾーンを設定するための設定用ポイントを指定する操作部と、地図データに基づいて前記指定された設定用ポイントの前記表示画面内における座標から前記位置監視用ゾーンを特定するゾーンデータに変換して記憶部に記憶させるデータ変換部と、前記設定用ポイントを示すポイント画像および前記ゾーンデータに基づくゾーン画像の少なくとも一方を前記地図データに基づく地図画像に重ね合わせて前記表示画面に表示させる表示制御部とを備えている位置監視用ゾーン設定装置。
【請求項２】
前記操作部は、ポインティングデバイスで構成され、
前記データ変換部は、前記ポインティングデバイスから出力された操作信号に基づいて前記設定用ポイントの前記座標を特定する請求項１記載の位置監視用ゾーン設定装置。
【請求項３】
請求項１または２記載の位置監視用ゾーン設定装置と、前記ゾーンデータおよび前記移動端末から送信された前記位置検出信号に基づいて前記位置監視用ゾーンに対する当該移動端末の位置を監視する位置監視装置とを備えている位置監視システム。
【請求項４】
前記位置監視装置は、前記移動端末が前記位置監視用ゾーン内に存在するか否かを判別する判別部を備えている請求項３記載の位置監視システム。
【発明の詳細な説明】
【技術分野】
【０００１】
本発明は、移動端末の位置を監視するための位置監視用ゾーンを設定する位置監視用ゾーン設定装置およびその位置監視用ゾーン設定装置を備えた位置監視システムに関するものである。
【背景技術】
【０００２】
携帯電話に代表される今日の移動端末は、電話機能に加えて、メール送受信機能や、ＧＰＳ（Global Positioning System ：全地球測位システム）信号等を利用して現在位置を検出する位置検出機能などの様々な機能を備えている。また、近年では、移動端末の位置検出機能を利用して各種のサービスを提供するシステムが開発されている。この種のシステムとして、出願人は、特開２００３−２２２７３号公報において、所定のゾーン内に存在する移動体端末（移動端末）に対して広告情報等を配信する情報配信システムＳＹＳを開示している。この情報配信システムＳＹＳは、同公報中の図１に示すように、ネットワーク１０００を介して互いに接続された情報配信サーバ１００、広告事業者端末２０および交換局１０１０と、交換局１０１０に接続された複数の基地局１０２０，１０２０・・と、各基地局１０２０，１０２０・・毎に形成された通信可能エリア内で通信可能な移動体端末１０，１０・・とを備えて構成されている。
【０００３】
この情報配信システムＳＹＳでは、情報配信サーバ１００が、予め登録された位置監視用のゾーンを記憶する。また、情報配信サーバ１００は、所定時間毎に情報配信処理を実行することにより、登録されたゾーン内に存在する移動体端末１０を抽出して、抽出した移動体端末１０に対して予め指定された情報を交換局１０１０および基地局１０２０を介して配信する。これにより、登録されたゾーン内に存在する移動体端末１０によって情報が受信されてユーザーに伝達される。
【０００４】
一方、上記したゾーンは、広告事業者端末２０を用いて登録される。このゾーンの登録に際しては、まず、多角形状のポリゴンゾーンおよび円形状の円ゾーンのいずれか一方を選択する。この場合、例えばポリゴンゾーンを選択したときには、広告事業者端末２０が、ゾーン登録を希望する地域に対応する地図画面を表示部に表示する。次に、オペレーター（広告事業者）は、表示部に表示された地図画面を参照しつつポリゴンゾーンを構成する複数のポイント（地点）にそれぞれ対応する緯度および経度等のゾーン指定情報を入力する。また、円ゾーンを選択したときには、表示部に表示された地図画面を参照しつつ円ゾーンの中心地点に対応するゾーン指定情報、およびその中心地点からの半径を入力する。次いで、広告事業者端末２０は、入力されたゾーン指定情報をネットワーク１０００を介して情報配信サーバ１００に送信する。これにより、情報配信サーバ１００によってゾーン指定情報に基づくゾーンが登録される。
【特許文献１】特開２００３−２２２７３号公報（第４−７頁、第１図）
【発明の開示】
【発明が解決しようとする課題】
【０００５】
ところが、出願人が開示している情報配信システムＳＹＳの広告事業者端末２０には、以下の解決すべき課題がある。すなわち、この広告事業者端末２０では、ゾーン指定情報を入力することによってゾーンの登録が行われている。しかしながら、この広告事業者端末２０では、入力したゾーン指定情報を例えば数字表示する機能しか有していないため、入力したゾーン指定情報によって特定されるポイントの位置、およびゾーンの大きさや形状を地図画面内で確認することが困難であるというやや不都合な面がある。したがって、例えば入力ミスがあったとしても、オペレーターは、その入力ミスを確実に認識することができない結果、ゾーンを正確に登録できないおそれがある。
【０００６】
本発明は、かかる改善すべき課題に鑑みてされたものであり、移動端末の位置を監視するための位置監視用ゾーンを正確に登録し得る位置監視用ゾーン設定装置および位置監視システムを提供することを主目的とする。
【課題を解決するための手段】
【０００７】
上記目的を達成すべく本発明に係る位置監視用ゾーン設定装置は、位置検出信号を出力する移動端末の位置を監視するための位置監視用ゾーンを設定する位置監視用ゾーン設定装置であって、表示部の表示画面内において前記位置監視用ゾーンを設定するための設定用ポイントを指定する操作部と、地図データに基づいて前記指定された設定用ポイントの前記表示画面内における座標から前記位置監視用ゾーンを特定するゾーンデータに変換して記憶部に記憶させるデータ変換部と、前記設定用ポイントを示すポイント画像および前記ゾーンデータに基づくゾーン画像の少なくとも一方を前記地図データに基づく地図画像に重ね合わせて前記表示画面に表示させる表示制御部とを備えている。
【０００８】
この位置監視用ゾーン設定装置によれば、設定用ポイントを示すポイント画像および位置監視用ゾーンを示すゾーン画像の少なくとも一方を地図画像に重ね合わせて表示部の表示画面部に表示することにより、オペレーターは、ポイント画像やゾーン画像と地図画像とを容易に比較することができるため、位置監視用ゾーンの位置や大きさが正しいか否かを確実かつ容易に確認することができる。したがって、オペレーターは、たとえ入力ミスがあったとしても、その入力ミスを確実かつ容易に認識して修正することができる結果、位置監視用ゾーンを正確に登録することができる。
【０００９】
また、本発明に係る位置監視用ゾーン設定装置は、上記の位置監視用ゾーン設定装置において、前記操作部は、ポインティングデバイスで構成され、前記データ変換部は、前記ポインティングデバイスから出力された操作信号に基づいて前記設定用ポイントの前記座標を特定する。
【００１０】
この位置監視用ゾーン設定装置によれば、ポインティングデバイスを備えて操作部を構成し、データ変換部がポインティングデバイスから出力された操作信号に基づいて設定用ポイントの座標を特定することにより、例えば、キーボードを用いて経度や緯度などの位置データを直接入力することなく、ポインティングデバイスによる快適で容易な操作だけで位置監視用ゾーンを登録することができるため、位置監視用ゾーンを短時間でしかも容易に登録することができる。
【００１１】
また、本発明に係る位置監視システムは、上記の位置監視用ゾーン設定装置と、前記ゾーンデータおよび前記移動端末から送信された前記位置検出信号に基づいて前記位置監視用ゾーンに対する当該移動端末の位置を監視する位置監視装置とを備えている。
【００１２】
この位置監視システムによれば、上記の位置監視用ゾーン設定装置と、位置監視用ゾーンに対する移動端末の位置を監視する位置監視装置とを備えたことにより、位置監視用ゾーンを正確に登録することができるため、移動端末の位置を精度良く監視することができる。また、位置監視用ゾーンを短時間でしかも容易に設定することができるため、例えば、数多くの移動端末の位置を監視する状況下であったとしても、位置監視用ゾーンの設定や変更を短時間でしかも容易に行うことができる。
【００１３】
また、本発明に係る位置監視システムは、上記の位置監視システムにおいて前記位置監視装置は、前記移動端末が前記位置監視用ゾーン内に存在するか否かを判別する判別部を備えている。
【００１４】
この位置監視システムによれば、移動端末が位置監視用ゾーン内に存在するか否かを判別する判別部を備えて位置監視装置を構成したことにより、例えば、位置監視用ゾーン内での移動端末の不在（または存在）を表示部に対して自動的に表示させることで、その不在または存在を確実に報知することができる。したがって、数多くの移動端末の位置を監視する状況下であったとしても、各移動端末を確実に監視することができる。
【発明を実施するための最良の形態】
【００１５】
以下、添付図面を参照して、本発明に係る位置監視用ゾーン設定装置および位置監視システムの最良の形態について説明する。最初に、位置監視システム１の構成について、図１を参照して説明する。
【００１６】
図１に示す位置監視システム１は、予め設定した位置監視用ゾーンに携帯電話２が存在するか否かを監視するためのシステムであって、複数の携帯電話２、無線基地局３、監視センター設備４およびネットワークＮを備えて構成されている。携帯電話２は、本発明における移動端末に相当し、図２に示すように、制御部１１、ＧＰＳ処理部１２、無線通信部１３、操作部１４および表示部１５を備えて構成されている。制御部１１は、操作部１４から出力される操作信号に従ってＧＰＳ処理部１２、無線通信部１３および表示部１５を制御する。また、制御部１１は、無線基地局３から送信される送信指示信号Ｓ１が無線通信部１３によって受信されたときに、携帯電話２の現在位置を示す位置検出信号Ｓ２をＧＰＳ処理部１２に出力させると共に、位置検出信号Ｓ２を無線通信部１３に送信させる。ＧＰＳ処理部１２は、制御部１１の制御下で、ＧＰＳ衛星から発信されたＧＰＳ信号Ｓｇを受信して現在位置を検出すると共に、現在位置を示す位置データと電話番号等の携帯電話２を識別可能な識別データとを含んだ位置検出信号Ｓ２を出力する。無線通信部１３は、制御部１１の制御下で、送信指示信号Ｓ１等の受信、および位置検出信号Ｓ２等の送信を行う。操作部１４は、各種操作ボタンが配列されて構成され、これらのボタン操作に応じた操作信号を出力する。表示部１５は、操作部１４のボタン操作によって入力された数字等の文字を表示すると共に、無線基地局３によって送信された各種信号に基づく各種画像を表示する。なお、携帯電話２は、実際には、通話用のマイクおよびスピーカ等を備えているが、発明の理解を容易とするため、その図示および説明を省略する。
【００１７】
無線基地局３は、図１に示すように、ネットワークＮを介して監視センター設備４に接続されている。また、無線基地局３は、監視センター設備４から出力された送信指示信号Ｓ１等の各種信号を携帯電話２に送信し、携帯電話２から送信された位置検出信号Ｓ２等の各種信号を受信して監視センター設備４に転送する。
【００１８】
監視センター設備４は、図３に示すように、位置監視用ゾーン設定装置（以下、「ゾーン設定装置」ともいう）２１および位置監視装置２２を備えている。この場合、ゾーン設定装置２１および位置監視装置２２は、例えば、同一建物内において隣接して設置され、両装置２１，２２の間で各種のデータの送受信が可能に接続ケーブルによって互いに接続されている。ゾーン設定装置２１は、同図に示すように、操作部３１、制御部３２、通信部３３、表示制御部３４、表示部３５および記憶部３６を備えて構成されている。操作部３１は、例えば、マウスＭ（本発明におけるポインティングデバイスの一例）およびキーボードＫを備えて構成されている。マウスＭは、表示部３５の表示画面内において位置監視用ゾーンを設定するための設定用ポイントを指定する指定操作などの各種の操作が可能に構成され、これらの操作に応じた操作信号Ｓ３を出力する。
【００１９】
制御部３２は、本発明におけるデータ変換部に相当し、ゾーン設定装置２１を構成する各部を制御する。また、制御部３２は、表示部３５の表示画面に表示された地図画像Ｇｍ（図４参照）内の所定の位置（例えば、同図に示すポイント画像Ｇｐ１〜Ｇｐ４（以下、区別しないときには「ポイント画像Ｇｐ」ともいう）の表示位置）に操作部３１のマウスＭによる指定操作によって設定用ポイントが指定されたときには、マウスＭから出力された操作信号Ｓ３に基づいて地図画像Ｇｍ内における設定用ポイントの座標を特定し、特定した各座標を実際の緯度および経度を含む位置データに変換する。さらに、制御部３２は、複数の設定用ポイントが指定されたときには、各設定用ポイントにそれぞれ対応する位置データに基づき、各設定用ポイントを頂点とする多角形を実際の大きさとなる倍率（例えば、地図画像Ｇｍにおける縮尺の逆数）で拡大した位置監視用ゾーンを特定可能なゾーンデータＤｚを生成して記憶部３６に記憶させる。また、制御部３２は、通信部３３に対して例えば外部データベースから地図データＤｍを取得させると共に、取得した地図データＤｍを記憶部３６に記憶させる。
【００２０】
通信部３３は、制御部３２の制御下で、外部データベースからネットワークＮを介して地図データＤｍを取得する。表示制御部３４は、図４に示すように、地図データＤｍに基づく地図画像Ｇｍを表示部３５に表示させる。また、表示制御部３４は、同図に示すように、表示部３５に対して、操作部３１から出力された操作信号Ｓ３に基づいて設定用ポイントを示すポイント画像Ｇｐ１〜Ｇｐ４や矢印画像Ｇａを地図画像Ｇｍ内に表示させる。また、表示制御部３４は、図５に示すように、ゾーンデータＤｚに基づくゾーン画像Ｇｚ１を地図画像Ｇｍに重ね合わせて表示部３５に表示させる。表示部３５は、表示制御部３４の制御下で各種の画像を表示する。記憶部３６は、制御部３２によって生成されたゾーンデータＤｚや通信部３３よって取得された地図データＤｍを記憶する。
【００２１】
位置監視装置２２は、図３に示すように、制御部４１、通信部４２、表示制御部４３および表示部４４を備えて構成されている。制御部４１は、本発明における判別部に相当し、通信部４２、表示制御部４３および表示部４４を制御する。また、制御部４１は、携帯電話２から送信された位置検出信号Ｓ２、およびゾーン設定装置２１の記憶部３６に記憶されているゾーンデータＤｚに基づいて携帯電話２が位置監視用ゾーン内に存在するか否かを判別する。この場合、制御部４１は、例えば、携帯電話２が位置監視用ゾーン内に存在しないと判別したときには、表示制御部４３に対してその旨を示す文字画像を表示部４４に表示させる。通信部４２は、ネットワークＮを介して無線基地局３との間で送信指示信号Ｓ１および位置検出信号Ｓ２等の各種信号の送受信を行う。表示制御部４３は、例えば、図６に示すように、携帯電話２の位置を示す電話画像Ｇｔ、地図画像Ｇｍおよびゾーン画像Ｇｚ１を重ね合わせて表示部４４に表示させる。表示部４４は、表示制御部４３の制御下で各種画像を表示する。ネットワークＮは、無線基地局３と監視センター設備４とを接続する位置監視システム１専用のネットワークであって、送信指示信号Ｓ１および位置検出信号Ｓ２等の伝送を行う。また、ネットワークＮは公衆回線網に接続されて、監視センター設備４と外部のデータベースと間で各種の信号やデータの伝送を行う。
【００２２】
次に、位置監視システム１の全体的な動作について、図面を参照して説明する。この位置監視システム１によって、例えば、携帯電話２が位置監視用ゾーン内に存在するか否を監視する際には、ゾーン設定装置２１を用いて、予め位置監視用ゾーンを設定する。具体的には、例えば、登録しようとする位置監視用ゾーンを含む地域の名称を操作部３１のキーボードＫを操作して入力する。この際に、制御部３２が、入力された地域の地図データＤｍを記憶部３６から読み出して表示制御部３４に出力する。これに応じて、表示制御部３４が、図４に示すように、地図データＤｍに基づく地図画像Ｇｍを表示部３５に表示させる。この場合、入力された地域の地図データＤｍが記憶部３６に存在しないときには、制御部３２は、通信部３３を介して外部データベースからその地域の地図データＤｍを取得する。次いで、操作部３１のマウスＭを操作する、この際に、表示制御部３４は、マウスＭから出力される操作信号Ｓ３を制御部３２を介して入力して、同図に示すように、表示部３５に対して矢印画像Ｇａを地図画像Ｇｍ内で移動表示させる。
【００２３】
続いて、地図画像Ｇｍ内における所望の区域（一例として、図４に破線で示すす四角形の区域）を囲む複数の位置（例えば、同図に示すポイント画像Ｇｐ１〜Ｇｐ４の表示位置）にマウスＭの移動操作によって矢印画像Ｇａを順番に移動させ、各位置においてマウスＭの例えば左ボタンをクリック操作することによってその位置を設定用ポイントの位置として指定する。この際に、マウスＭは、クリック操作に応じた操作信号Ｓ３を出力する。なお、指定した位置を訂正する際には、例えば、マウスＭの右ボタンを操作して設定を解除した後に上記の操作によって他の位置を再度指定する。次に、表示制御部３４は、マウスＭから出力された操作信号Ｓ３を制御部３２を介して入力して、表示部３５に対して、指定された各位置にポイント画像Ｇｐ１〜Ｇｐ４をそれぞれ表示させる。
【００２４】
次いで、制御部３２が、操作信号Ｓ３に基づいて地図画像Ｇｍ内における各設定用ポイント（各ポイント画像Ｇｐ）の座標を特定して位置データに変換し、各位置データに基づいて、各設定ポイント（各ポイント画像Ｇｐ）を頂点とする四角形を所定の倍率で拡大した実際の位置監視用ゾーンを特定可能なゾーンデータＤｚを生成して記憶部３６に記憶させる。続いて、表示制御部３４が、記憶部３６に記憶されているゾーンデータＤｚを制御部３２を介して入力して、図５に示すように、ゾーンデータＤｚに基づくゾーン画像Ｇｚ１を地図画像Ｇｍに重ね合わせて表示部３５に表示させる。これにより、位置監視用ゾーンが登録されると共に、同図に示すように、登録した位置監視用ゾーンに対応するゾーン画像Ｇｚ１が地図画像Ｇｍに重ね合わされて表示される。この場合、例えば、キーボードＫを用いて経度や緯度などの位置データを直接入力することなく、マウスＭによる容易な操作だけで任意の大きさの位置監視用ゾーンを確実に設定することができるため、位置監視用ゾーンを短時間で設定することができる。また、位置監視用ゾーンに対応するゾーン画像Ｇｚ１が地図データＤｍに重ね合わされて表示されるため、位置監視用ゾーンが所望のとおりに登録されているか否かを確実かつ容易に把握することができる。
【００２５】
一方、携帯電話２の位置監視を開始した際には、位置監視装置２２の制御部４１が、位置監視用ゾーンを含む地域の地図データＤｍと、ゾーンデータＤｚとをゾーン設定装置２１の記憶部３６から読み出して表示制御部４３に出力する。これに応じて、表示制御部４３が、図６に示すように、地図データＤｍに基づく地図画像Ｇｍと、ゾーンデータＤｚに基づくゾーン画像Ｇｚとを重ね合わせて表示部４４に表示させる。次に、制御部４１が、位置監視処理を実行する。この位置監視処理では、制御部４１は、携帯電話２に対して位置検出信号Ｓ２の送信を指示する送信指示信号Ｓ１を出力する。この際に、送信指示信号Ｓ１は、通信部４２からネットワークＮを介して無線基地局３に送信され、無線基地局３によって転送された後に、携帯電話２によって受信される。次いで、携帯電話２のＧＰＳ処理部１２が、制御部１１の制御下で、ＧＰＳ信号Ｓｇを受信して現在位置を示す位置データおよび電話番号を含んだ位置検出信号Ｓ２を出力する。続いて、無線通信部１３が位置検出信号Ｓ２を送信し、この位置検出信号Ｓ２が無線基地局３を介して位置監視装置２２に転送される。
【００２６】
次に、位置監視装置２２の制御部４１が、位置検出信号Ｓ２を表示制御部４３に出力する。これに応じて、表示制御部４３が、制御部４１から位置検出信号Ｓ２を入力して、図６に示すように、表示部４４に対して、位置検出信号Ｓ２に基づく電話画像Ｇｔを地図データＤｍ内に表示させる。一方、制御部４１は、位置検出信号Ｓ２に基づいて携帯電話２の位置を特定して、ゾーンデータＤｚによって特定される位置監視用ゾーン内に携帯電話２が存在するか否かを判別する。この場合、制御部４１は、携帯電話２が位置監視用ゾーンに存在しないと判別したときには、例えば、表示制御部４３に対してその旨を示す文字画像を表示部４４に表示させる。以後、制御部４１は、所定時間（例えば１０分）間隔でこの位置監視処理を繰り返して実行する。
【００２７】
このように、このゾーン設定装置２１によれば、設定用ポイントを示すポイント画像Ｇｐおよび位置監視用ゾーンを示すゾーン画像Ｇｚ１を地図画像Ｇｍに重ね合わせて表示することにより、オペレーターは、ポイント画像Ｇｐおよびゾーン画像Ｇｚ１と地図画像Ｇｍとを容易に比較することができるため、位置監視用ゾーンの位置や大きさが正しいか否かを確実かつ容易に確認することができる。したがって、オペレーターは、たとえ入力ミスがあったとしても、その入力ミスを確実かつ容易に認識して修正することができる結果、位置監視用ゾーンを正確に登録することができる。
【００２８】
また、このゾーン設定装置２１によれば、マウスＭを備えて操作部３１を構成し、制御部３２がマウスＭから出力された操作信号Ｓ３に基づいて地図画像Ｇｍ内における設定用ポイント（ポイント画像Ｇｐ）の座標を特定することにより、例えば、キーボードＫを用いて経度や緯度などの位置データを直接入力することなく、マウスＭによる快適で容易な操作だけで位置監視用ゾーンを登録することができるため、位置監視用ゾーンを短時間でしかも容易に登録することができる。
【００２９】
また、この位置監視システム１によれば、ゾーン設定装置２１と位置監視装置２２とを備えたことにより、位置監視用ゾーンを正確に登録することができるため、携帯電話２の位置を精度良く監視することができる。また、位置監視用ゾーンを短時間でしかも容易に設定することができるため、例えば、数多くの携帯電話２の位置を監視する状況下であったとしても、位置監視用ゾーンの設定や変更を短時間でしかも容易に行うことができる。また、制御部４１が位置監視用ゾーン内に携帯電話２が存在するか否かを判別することにより、例えば、位置監視用ゾーン内での携帯電話２の不在（または存在）を表示部４４に対して自動的に表示させることで、その不在または存在を確実に報知することができる。したがって、数多くの携帯電話２の位置を監視する状況下であったとしても、各携帯電話２を確実に監視することができる。
【００３０】
なお、本発明は、上記の構成に限定されない。例えば、ゾーン設定装置２１および位置監視装置２２に表示制御部３４，４３や表示部３５，４４をそれぞれ個別に備えた構成例について上記したが、両装置２１，２２において共通の表示制御部（例えば表示制御部３４）や表示部（例えば表示部４４）を使用する構成を採用することもできる。また、同一建物内においてゾーン設定装置２１および位置監視装置２２を隣接して設置した例について上記したが、両装置２１，２２を互いに異なる建物に設置してネットワークＮを介して接続する構成を採用することもできる。
【００３１】
また、位置監視用ゾーンを設定する際に、４つの設定用ポイントを指定する例について上記したが、設定用ポイントの数は４つに限定されず任意の数を指定することができる。また、位置監視用ゾーンの登録方法は、上記した方法に限定されず、例えば、図７に示すように、地図画像Ｇｍ内に線分画像Ｇｌを描画して位置監視用ゾーンを設定することもできる。具体的には、同図に示すように、ゾーン設定装置２１のマウスＭを用いてドラッグ操作することにより、地図画像Ｇｍ内における所望の領域を囲むようにして矢印画像Ｇａを移動させる。この際に、表示制御部３４が、マウスＭから出力された操作信号Ｓ３を制御部３２を介して入力して、表示部３５に対して、矢印画像Ｇａの軌跡を示す線分画像Ｇｌを操作信号Ｓ３に基づいて地図画像Ｇｍ内に表示させる。次に、制御部３２が、操作信号Ｓ３に基づいて線分画像Ｇｌ上における複数のポイントの座標を特定して位置データに変換する。次いで、制御部３２は、各位置データに基づき、線分画像Ｇｌで囲まれた区域を拡大した実際の位置監視用ゾーンを特定可能なゾーンデータＤｚを生成する。続いて、表示制御部３４は、制御部３２から入力したゾーンデータＤｚに基づくゾーン画像Ｇｚ２を地図画像Ｇｍに重ね合わせて表示部３５に表示させる。これにより、位置監視用ゾーンが登録されると共に、同図に示すように、登録した位置監視用ゾーンに対応するゾーン画像Ｇｚ２が地図画像Ｇｍに重ね合わされて表示される。この設定方法によれば、マウスＭを用いたドラッグ操作で位置監視用ゾーンを設定することができるため、位置監視用ゾーンの幅や形状を任意に設定することができる。
【００３２】
また、マウスＭを使用して、地図画像Ｇｍ内の１つのポイントＰ１を指定して引き続いてドラッグ操作することにより、図８に示すように、円形のゾーン画像Ｇｚ３を表示部３５に表示させることもできる。この際には、制御部３２が上記の処理と同様にしてゾーンデータＤｚを生成することにより、ゾーン画像Ｇｚ３を実際の大きさに拡大した位置監視用ゾーンが登録される。
【００３３】
また、移動端末として携帯電話２を備えた例について上記したが、本発明における移動端末はこれに限定されず、ポケットベルタイプの移動端末や、ＰＤＡ（Personal Digital Assistant）タイプの移動端末などの位置検出機能を備えた各種移動端末が含まれる。
【００３４】
また、ポイント画像Ｇｐとゾーン画像Ｇｚとの双方を地図画像Ｇｍに重ね合わせて表示部３５に表示する例について上記したが、本発明はこれに限らず、ポイント画像Ｇｐとゾーン画像Ｇｚとのいずれか一方を地図画像Ｇｍに重ね合わせて表示部３５に表示する構成を採用することもできるのは勿論である。
【図面の簡単な説明】
【００３５】
【図１】位置監視システム１の構成を示すブロック図である。
【図２】携帯電話２の構成を示すブロック図である。
【図３】監視センター設備４の構成を示すブロック図である。
【図４】地図画像Ｇｍを表示している表示部３５の表示画面図である。
【図５】地図画像Ｇｍにゾーン画像Ｇｚ１とポイント画像Ｇｐ１〜Ｇｐ４とを重ね合わせて表示している表示部３５の表示画面図である。
【図６】地図画像Ｇｍにゾーン画像Ｇｚ１および電話画像Ｇｔを重ね合わせて表示している表示部４４の表示画面図である。
【図７】地図画像Ｇｍにゾーン画像Ｇｚ２を重ね合わせて表示している表示部３５の表示画面図である。
【図８】地図画像Ｇｍにゾーン画像Ｇｚ３を重ね合わせて表示している表示部３５の表示画面図である。
【符号の説明】
【００３６】
１  位置監視システム、２  携帯電話、２１  位置監視用ゾーン設定装置、２２  位置監視装置、３１  操作部、３２  制御部、３４  表示制御部、３５  表示部、３６  記憶部、４１  制御部、Ｄｍ  地図データ、Ｄｚ  ゾーンデータ、Ｇｍ  地図画像、Ｇｐ１〜Ｇｐ４  ポイント画像、Ｇｚ  ゾーン画像、Ｍ  マウス、Ｓ２  位置検出信号、Ｓ３  操作信号
【図１】
2005148822.tif 000003
【図２】
2005148822.tif 000004
【図３】
2005148822.tif 000005
【図４】
2005148822.tif 000006
【図５】
2005148822.tif 000007
【図６】
2005148822.tif 000008
【図７】
2005148822.tif 000009
【図８】
2005148822.tif 000010